(57)【要約】【課題】  本考案は、設置場所を選ぶことなく手軽に浄水することができ、また、一旦浄水フィルターによって浄化された水が、再び浄水フィルターに触れることのない構造を備える浄水器を提供することを目的とする。【解決手段】  一の開口縁１０と、開口縁１０から下方に延びる一の側壁１２と、側壁１２に連接する一の底壁１４とを備える容器本体４と、開口縁１０に囲まれる他の開口縁２０と、開口縁２０から下方に延びる他の側壁２２と、側壁２２に連接する他の底壁２４とを備え、底壁２４に貫通孔２８が形成された水受け容器６と、水受け容器６の内部に設置され、且つ貫通孔２８に装着されるカートリッジ式浄水フィルター８とを含んで成り、側壁１２が側壁２２を囲み、且つ、底壁１４と底壁２４との間に貯水部３０となる空間Ｓが形成されるように、容器本体４と水受け容器６とが重ねられ、側壁１２の下端部、又は底壁１４に、止水栓１６を備える給水口１８が設けられた浄水器である。【選択図】  図１（ｃ）
0003106596.tif 000002
【実用新案登録請求の範囲】
【請求項１】
一の開口縁と、該一の開口縁から下方に延びる一の側壁と、該一の側壁に連接する一の底壁とを備える容器本体と、
前記一の開口縁に囲まれる他の開口縁と、該他の開口縁から下方に延びる他の側壁と、該他の側壁に連接する他の底壁とを備え、該他の底壁に貫通孔が形成された水受け容器と、
前記水受け容器の内部に設置され、且つ前記貫通孔に装着されるカートリッジ式浄水フィルターと
を含んで成り、
前記一の側壁が前記他の側壁を囲み、且つ、前記一の底壁と前記他の底壁との間に貯水部となる空間が形成されるように、前記容器本体と前記水受け容器とが重ねられ、
前記一の側壁の下端部、又は前記一の底壁に、止水栓を備える給水口が設けられることを特徴とする浄水器。
【請求項２】
前記他の開口縁の周縁部、又は前記他の側壁の外周面に鍔部を備えることを特徴とする請求項１に記載の浄水器。
【請求項３】
一の開口縁と、該一の開口縁から下方に延びる一の側壁と、該一の側壁に連接する一の底壁とを備える容器本体と、
他の開口縁と、該他の開口縁から下方に延びる他の側壁と、該他の側壁に連接する他の底壁とを備え、該他の底壁に貫通孔が形成された水受け容器と、
前記水受け容器の内部に設置され、且つ前記貫通孔に装着されるカートリッジ式浄水フィルターと
を含んで成り、
前記他の底壁が前記一の開口縁で形成される開口を覆うように、前記容器本体と前記水受け容器とが重ねられて、前記一の底壁と前記他の底壁との間に貯水部となる空間が形成され、
前記一の側壁の下端部、又は前記一の底壁に、止水栓を備える給水口が設けられることを特徴とする浄水器。
【請求項４】
前記カートリッジ式浄水フィルターが、多孔質セラミックを含んで成る請求項１乃至請求項３のいずれかに記載の浄水器。
【請求項５】
前記多孔質セラミックが、０．００１〜０．５μｍの微細孔を有する請求項４に記載の浄水器。
【請求項６】
前記カートリッジ式浄水フィルターが、更に、
活性炭、銀、イオン交換樹脂のうちから選択される１以上の浄化剤を含んで成り、且つ該１以上の浄化剤と前記多孔質セラミックとが多層構造を成していることを特徴とする請求項４又は請求項５に記載の浄水器。
【請求項７】
前記容器本体及び／又は前記水受け容器が、陶磁器製であることを特徴とする請求項１乃至請求項６のいずれかに記載の浄水器。
【請求項８】
前記他の開口縁で形成される開口を覆う蓋を備える請求項１乃至請求項７のいずれかに記載の浄水器。
【請求項９】
前記蓋が陶磁器製である請求項８に記載の浄水器。
【考案の詳細な説明】
【技術分野】
【０００１】
本考案は、設置場所を選ばず、手軽に浄水することができる浄水器に関する。
【背景技術】
【０００２】
浄水器は、いまや家庭の必需品になったといえ、種々のタイプの浄水器が市販されている。例えば、蛇口に直接取り付けて浄水するタイプや、蛇口の手前で分岐して、流し台下等に据え付けた浄水器内に水道水を導入して浄水するタイプ等が一般的である。また最近では、浄水機能を備えたジャーポットやコーヒーメーカー等も市販されている。
【０００３】
しかし、従来の浄水器は、その取り付けには何らかの工事が必要となる場合が多く、工事ができないために浄水器の取り付けが不可能になるといった問題や、流し台周辺に浄水器本体の設置場所を確保できず設置できないといった問題があった。また、比較的高価なものが多く、経済的負担も大きかった。一方、浄水機能を備えた各種電化製品については、使用の用途が限定されるため、手軽に飲料水を得ることはできなかった。
【０００４】
そこで、簡単な浄水機能を備えた水差しが開示されている（例えば、特許文献１参照。）。水差し５０は、本体部５１と、蓋部５２と、カ−トリッジ部５３とを有しており、カートリッジ部５３は、水受け部５４と、上側ケース５５と、下側ケース５６とを有している。上側ケース５５内にはフィルタ５７が収納され、下側ケース５６内には浄化剤として、例えば粒状のセラミック５８が収納されている。つまり、水受け部５４に水を注ぐことにより、フィルタ５７及びセラミック５８によって浄化された水が本体部５１内に溜められ、本体部５１内の水を注げば浄化された水を飲むことができる。
【０００５】
【特許文献１】実用新案登録第３０９５９７５号公報（実用新案登録請求の範囲、図５）
【考案の開示】
【考案が解決しようとする課題】
【０００６】
しかし、上記の水差し５０の構造では、水受け部５４に水を注いで浄化し、本体部５１内に浄化された水を溜めた際、下側ケース５６が水中に浸かってしまう。つまり、浄化された水の中に浄化剤である粒状のセラミック５８が常に浸けられた状態となり、衛生上好ましくない。
【０００７】
また、水差し５０から浄化された水を注ぐ際には、一旦、水差し５０を持ち上げて傾け、給水後は傾けられた水差し５０を元に戻さなければならない。この時、本体部５１内に溜められている浄化された水は、本体部５１内で揺すられることとなる。すなわち、一連の給水動作を行うことによって、浄化された水が本体部５１内で揺すられると共に、この水に浸かっている下側ケース５６内を通過する。従って、繰り返し給水動作を行うと、浄化された水が何度も下側ケース５６内を通過することとなり、下側ケース５６内に収納されている浄化剤から、吸着された不純物が再び流出する恐れがある。
【０００８】
更に、水差し５０を傾けた際、水受け部５４に注がれた水が水受け部５４内に残っていた場合には、水差し５０の上方から漏れる恐れもある。
【０００９】
そこで本考案は、設置場所を選ぶことなく手軽に浄水することができ、また、一旦浄水フィルターによって浄化された水が、再び浄水フィルターに触れることのない構造を備える浄水器を提供することを目的とする。
【課題を解決するための手段】
【００１０】
即ち、本考案の要旨とするところは、一の開口縁と、該一の開口縁から下方に延びる一の側壁と、該一の側壁に連接する一の底壁とを備える容器本体と、
前記一の開口縁に囲まれる他の開口縁と、該他の開口縁から下方に延びる他の側壁と、該他の側壁に連接する他の底壁とを備え、該他の底壁に貫通孔が形成された水受け容器と、
前記水受け容器の内部に設置され、且つ前記貫通孔に装着されるカートリッジ式浄水フィルターとを含んで成り、
前記一の側壁が前記他の側壁を囲み、且つ、前記一の底壁と前記他の底壁との間に貯水部となる空間が形成されるように、前記容器本体と前記水受け容器とが重ねられ、
前記一の側壁の下端部、又は前記一の底壁に、止水栓を備える給水口が設けられる浄水器である。
【００１１】
かかる浄水器において、前記他の開口縁の周縁部、又は前記他の側壁の外周面には鍔部を備え得る。
【００１２】
本考案の別の要旨とするところは、一の開口縁と、該一の開口縁から下方に延びる一の側壁と、該一の側壁に連接する一の底壁とを備える容器本体と、
他の開口縁と、該他の開口縁から下方に延びる他の側壁と、該他の側壁に連接する他の底壁とを備え、該他の底壁に貫通孔が形成された水受け容器と、
前記水受け容器の内部に設置され、且つ前記貫通孔に装着されるカートリッジ式浄水フィルターとを含んで成り、
前記他の底壁が前記一の開口縁で形成される開口を覆うように、前記容器本体と前記水受け容器とが重ねられて、前記一の底壁と前記他の底壁との間に貯水部となる空間が形成され、
前記一の側壁の下端部、又は前記一の底壁に、止水栓を備える給水口が設けられる浄水器である。
【００１３】
かかる浄水器において、前記カートリッジ式浄水フィルターが、多孔質セラミックを含んで成ることにある。
【００１４】
かかる浄水器において、前記多孔質セラミックが、０．５μｍ以下の微細孔を有することを特徴とする。
【００１５】
前記カートリッジ式浄水フィルターが、更に、活性炭、銀、イオン交換樹脂のうちから選択される１以上の浄化剤を含んで成り、且つ該１以上の浄化剤と前記多孔質セラミックとが多層構造を成していることにある。
【００１６】
かかる浄水器において、前記容器本体及び／又は前記水受け容器は、陶磁器製であり得る。
【００１７】
かかる浄水器において、前記他の開口縁で形成される開口を覆う蓋を備え得る。
【００１８】
かかる浄水器において、前記蓋が陶磁器製であり得る。
【００１９】
かかる浄水器において、前記一の底壁には排水口を備え得る。
【考案の効果】
【００２０】
本考案の浄水器は、水受け容器へ水を注ぐのみで手軽に浄水することができる。また、浄水器設置のための工事は不要であり、必ずしも蛇口の側に置く必要がないため、設置場所を使用者が任意に選定することができる。
【００２１】
また、本考案の浄水器において、カートリッジ式浄水フィルターによって浄化された水は、本体容器と水受け容器との間に形成された空間（貯水部）に貯水され、カートリッジ式浄水フィルターと再び接触することがないため、衛生上も非常に好ましい。
【００２２】
また、本考案に係る容器本体の下部には、止水栓を備えた給水口が設けられているため、浄化された水を注ぐ際に、浄水器本体を持ち上げる必要がなく、容易にコップ等へ給水することができる。更に、従来の水差しのような、給水動作に伴う不純物の流出も防止できる。
【００２３】
また更に、本考案に係る容器本体等を陶磁器製とすることにより、陶磁器独特の質感によって和の雰囲気を強調することができ、卓上、更には卓上を含む室内空間を和風に演出する効果がある。
【考案を実施するための最良の形態】
【００２４】
以下、本考案の態様を図面に基づいて説明するが、本考案の態様は以下に示したものに限定されない。なお、本明細書において、各図にわたって記される同じ符号は、同一又は同様の部材やものを示す。
【００２５】
図１（ａ）〜図１（ｃ）に、本考案の浄水器の一態様を示す。浄水器２は、主に容器本体４と、水受け容器６と、カートリッジ式浄水フィルター８とを含んで成る。容器本体４は、一の開口縁１０と、開口縁１０から下方に延びる一の側壁１２と、側壁１２に連接する一の底壁１４とを備え、側壁１２の下端部には、止水栓１６を備える給水口１８が設けられている。一方、水受け容器６は、他の開口縁２０と、開口縁２０から下方に延びる他の側壁２２と、側壁２２に連接する他の底壁２４とを備え、底壁２４の中心部には、底壁２４を貫通する貫通孔２８が形成されている。そして、水受け容器６は、容器本体４の開口縁１０の上方から容器本体４の内部へと挿入され、側壁１２が側壁２２を囲むような状態でこれら２つの容器が重ねられる。更にこの時、容器本体４と水受け容器６との間、具体的には、容器本体４の底壁１４と水受け容器６の底壁２４との間に、空間Ｓが設けられ、この空間Ｓが浄化された水の貯水部３０となる。なお、以下の説明においては、「浄化された水」を単に「浄水」といい、「水」とあるのは、浄化される前の水を意味する。
【００２６】
ここで、容器本体４と水受け容器６との間に貯水部３０を設ける手段、つまり容器本体４の底壁１４と水受け容器６の底壁２４との間に空間Ｓを形成する手段は特に限定されないが、例えば、水受け容器６が備える開口縁２０の周縁部、或いは側壁２２の外周面に鍔部２１を設け、鍔部２１の下面２１ａを容器本体４の開口縁１０の上面に載置することによって、簡単に空間Ｓを形成することができる。
【００２７】
カートリッジ式浄水フィルター８は、例えば、図１（ｃ）に示すような砲弾形のフィルターである。このフィルター８の種類は特に限定されず、公知のあらゆるフィルターを適用し得るが、特に、多孔質セラミックを含んで成るフィルターであることが好ましい。多孔質セラミックには、この多孔質セラミックが有する微細孔を利用して、水道水、地下水等に含まれる微細なバクテリアやゴミ、固形物等の不純物を除去する働きがある。また、多孔質セラミックは目詰まりを起こしにくく、仮に通水量が低下した場合であっても、ブラシ等で軽く擦り洗いすることによって、何度でも使用することができる。なお、多孔質セラミックが有する微細孔のサイズは、０．００１〜０．５μｍであることが好ましく、より好ましいのは０．０１〜０．１μｍである。微細孔のサイズが０．００１μｍ未満であっても、水分子のサイズは０．０００１〜０．０００５μｍであるため、通水することは可能であるが、微細孔があまりに小さすぎると通水量が極端に減少し、水の浄化効率が低下するため好ましくない。一方、微細孔のサイズが０．５μｍを超えると、バクテリアを有効に除去することができない。
【００２８】
カートリッジ式浄水フィルター８は、上記の通り、主に多孔質セラミックを含んで成るフィルターであるが、更に好ましい態様は、多孔質セラミックと、活性炭、銀、イオン交換樹脂のうちから選択される１以上の浄化剤とを含んで成るフィルターである。例えば、図２（ａ）に示すカートリッジ式浄水フィルター８ａは、砲弾形の形状を備えるフィルター本体８０が多孔質セラミック８１から成り、フィルター本体８０の内部には活性炭８２が収納されている。つまり、カートリッジ式浄水フィルター８ａは、多孔質セラミック８１と活性炭８２による二重構造となっている。活性炭には、遊離残留塩素を除去し、カルキ臭やカビ臭の原因となる有機物、トリハロメタン、農薬等を吸着除去する働きがある。そのため、浄化剤として活性炭を併用することによって、浄水効果は非常に高まる。
【００２９】
また、カートリッジ式浄水フィルター８、８ａの態様において、浄化剤として銀が併用されてもよい。銀には、フィルター内のバクテリアの繁殖を抑制する働きや、殺菌作用によってフィルターを清潔に保つ効果がある。そこで、例えば図２（ｂ）に示すような、多孔質セラミック８１から成るフィルター本体８０の内部に、浄化剤として活性炭８２及び銀の粒状物８３が収納され、多孔質セラミック８１、銀の粒状物８３、及び活性炭８２による三層構造を備えたカートリッジ式浄水フィルター８ｂの態様がより好ましい。フィルター８ｂのような態様とすることにより、多孔質セラミックで除去されたバクテリアが、フィルター８ｂ内で繁殖することを抑制でき、フィルター８ｂを清潔に保つことができる。
【００３０】
更に、カートリッジ式浄水フィルター８、８ａ、８ｂの態様において、浄化剤としてイオン交換樹脂８４が併用されてもよい。イオン交換樹脂は、鉛、砒素、カドミウム、水銀等の重金属を除去することができる。更には、マグネシウム、カルシウム、ナトリウムといったイオン物質の除去に有効であり、炭酸塩、硫酸塩、硝酸塩といった塩化物の除去にも効果がある。従って、カートリッジ式浄水フィルター８、８ａ、８ｂの態様において、更に、浄化剤としてイオン交換樹脂を併用することにより、鉛、水銀等の重金属、イオン物質、塩化物等の除去も可能となり、浄水効果の更なる向上が図られる。
【００３１】
本考案の浄水器２に係る水受け容器６内には、これら種々の態様のカートリッジ式浄水フィルターが設置される。より具体的には、図１（ｃ）に示すように、フィルター８の下面に備える排水管８５が貫通孔２８に挿通され、底壁２４の上面に固定されている。フィルター８が備える排水管８５は、水受け容器６に注がれた水をフィルター８を介して浄化し、貯水部３０へと導通するためのものである。なお、フィルター８の固定方法は特に限定されないが、例えば、排水管８５の外周面に予め螺子山を設けておき、排水管８５を貫通孔２８に挿通して底壁２４の下面側に突出させ、この突出した部分に、底壁２４の下面側からロックナットを螺着することによって容易、且つ確実に固定することができる。或いは、貫通孔２８の内周面に、該螺子山と螺合可能な螺子溝を設けておき、フィルター８を貫通孔２８に螺着することによって固定してもよい。
【００３２】
また、容器本体４の側壁１２の下端部には、側壁１２を貫通する給水口１８が設けられている。水受け容器６に注がれた水は、カートリッジ式浄水フィルター８により浄化されて容器本体４内の貯水部３０に溜められる。給水口１８は止水栓１６を備えており、止水栓１６を開けることによって、貯水部３０に溜められた浄水を、給水口１８を介して容易にコップ等に注ぐことができる。止水栓１６を備える給水口１８の態様としては、給水口１８に給水コックを設ける態様や、給水口１８にゴムやコルク等から成る止水栓を嵌着する態様等、何れの態様であってもよく、特に限定されるものではない。
【００３３】
以上の構成から成る浄水器２は、例えば、テーブル上に載置され、卓上の簡易型浄水器として好適に使用され得る。或いは、別体の載置台の上に浄水器２を載せて、卓上や床面に設置して使用することもできる。つまり、従来の浄水器のように、設置場所が流し台周辺に限定されることがなく、浄水器設置のための工事も不要である。また、貯水部３０に溜められた浄水は、給水口１８を介して容易にコップ等へ注ぐことができ、浄水器自体を持ち上げたり、別途電源を必要としたりすることもない。なお、給水口１８は浄水器２の下方に設けられているため、上記のように、浄水器２を載置台に載せて使用する態様がより好ましい。
【００３４】
更に、水受け容器６に注がれた水は、カートリッジ式浄水フィルター８で浄化されると貯水部３０に溜められるため、浄水がフィルター８と接触することがなく、衛生上も非常に好ましい。
【００３５】
なお、浄水器２は、図１（ａ）〜図１（ｃ）にも示したように、水受け容器６の開口縁２０で形成される開口２５を覆う蓋９を備えていることが好ましい。蓋９で開口２５を覆うことによって、水受け容器６内へ埃やゴミが入るのを防止することができる。一方、貯水部３０を備える容器本体４の開口縁１０で形成される開口は、水受け容器６が蓋の役目を果たすため、特に蓋を設けなくとも、貯水部３０に埃やゴミが入ることはない。
【００３６】
以上、本考案の一態様である浄水器２について詳述したが、本考案の態様は上述のものに限定されない。例えば、図３に示す浄水器２ａは、容器本体４ａと、水受け容器６ａと、水受け容器６ａ内に設置されるカートリッジ式浄水フィルター８ａと、蓋９とで構成されている。更に、容器本体４ａと水受け容器６ａとは、水受け容器６ａの底壁２４ａが容器本体４ａの開口縁１０ａで形成される開口１５を覆うように重ねられて、容器本体４ａの底壁１４ａと底壁２４ａとの間に貯水部３０ａとなる空間Ｓが形成されている。より具体的には、水受け容器６ａの底壁２４ａの周縁部２７を、容器本体４ａの開口縁１０ａに載置することによって２つの容器が重ねられ、容器本体４ａ内が全て貯水部３０ａとなるように構成されている。このような構成とすることにより、貯水部３０ａを多く確保することができると共に、貯水部３０ａとなる容器本体４ａの開口１５は、水受け容器６ａの底壁２４ａが蓋となるため、貯水部３０ａに埃やゴミが入ることもない。
【００３７】
更に、上述した浄水器２、２ａに係る容器本体４、４ａの底壁１４、１４ａには、排水口３２を設けておくことが好ましい。貯水部３０、３０ａに溜められた浄水は、その殆どを給水口１８から排水することができるが、更に、底壁１４等に排水口３２を設けておくことにより、貯水部３０、３０ａ内の浄水を完全に排水することができる。また、容器本体４、４ａ内を洗浄した際にも、排水口３２を介して容易に排水することができる。なお、浄水器として使用する際には、排水口３２に、底壁１４、１４ａの上方、或いは下方からゴム栓等の止水栓３３を嵌着、又は螺着する、或いは排水口３２に予め排水コックを設けておく等して、止水した状態で使用される。
【００３８】
以上、本考案の浄水器の種々の態様について説明したが、本考案はその趣旨を逸脱しない範囲で、当業者の知識に基づき種々の改良、修正、変形を加えた態様で実施し得るものである。例えば、各図に示した浄水器は、何れも横断面形状が円形であり、これは轆轤による造形に起因するものであるが、本考案は円形に限定されるものではなく、横断面形状が楕円形、矩形、正方形等、何れであってもよい。
【００３９】
また、本考案の浄水器に係る容器本体、水受け容器、及び蓋の材質も特に限定されず、金属製、樹脂製等、何れであってもよいが、陶磁器製であることが、轆轤による造形の容易性、陶磁器独特の質感による和の雰囲気の演出効果等の点で好ましい。
【００４０】
更に、本考案の浄水器に係るカートリッジ式浄水フィルターの形状も、各図に示した砲弾形に限定されるものではなく、円筒形、角柱形等、何れであってもよい。また、例えば図４に示す浄水器２ｂように、カートリッジ式浄水フィルター８ｃを水受け容器６の底壁２４と略同一形状とし、フィルター８ｃが、多孔質セラミック８１、銀の粒状物８３、活性炭８２、及びイオン交換樹脂８４を水平方向に積層して構成される態様であってもよい。また、カートリッジ式浄水フィルターが備える排水管８５の数も限定されず、図４に示すように、複数の排水管８５が形成されてもよい。更には、図２（ａ）に示したフィルター８ａの態様において、活性炭８２が収納されている部分が空洞にされてもよい。
【００４１】
また更に、本考案の浄水器２、２ａ、２ｂは、卓上に直接設置されたり、或いは卓上や床面に別体の載置台を使用して設置されるが、例えば、容器本体４、４ａの底壁１４、１４ａの下面側に、高さ１０〜１５ｃｍ程度の高台が予め設けられてもよい。高台を設けることによって、浄水器２等を直接設置した場合であっても、卓上或いは床面から給水口１８までの高さを確保することができ、給水口１８の下方にコップ等を置くスペースが確保される。
【図面の簡単な説明】
【００４２】
【図１（ａ）】本考案の浄水器の一態様を示す正面図である。
【図１（ｂ）】図１（ａ）に示す浄水器の右側面図である。
【図１（ｃ）】図１（ｂ）に示す浄水器の縦方向断面図である。
【図２（ａ）】本考案に係るカートリッジ式浄水フィルターの一態様を示す縦方向断面図である。
【図２（ｂ）】本考案に係るカートリッジ式浄水フィルターの他態様を示す縦方向断面図である。
【図３】本考案の浄水器の他態様を示す縦方向断面図である。
【図４】本考案の浄水器の他態様を示す縦方向断面図である。
【図５】従来の水差しを示す縦方向断面図である。
【符号の説明】
【００４３】
２、２ａ、２ｂ：浄水器
４、４ａ：容器本体
６、６ａ：水受け容器
８、８ａ、８ｂ、８ｃ：カートリッジ式浄水フィルター
９：蓋
１０、１０ａ：一の開口縁
１２、１２ａ：一の側壁
１４、１４ａ：一の底壁
１５、２５：開口
１６：止水栓
１８：給水口
２０：他の開口縁
２１：鍔部
２２：他の側壁
２４ａ：他の底壁
２８：貫通孔
３０：貯水部
３２：排水口
８５：排水管
Ｓ：空間
【図１（ａ）】
0003106596.tif 000003
【図１（ｂ）】
0003106596.tif 000004
【図１（ｃ）】
0003106596.tif 000005
【図２（ａ）】
0003106596.tif 000006
【図２（ｂ）】
0003106596.tif 000007
【図３】
0003106596.tif 000008
【図４】
0003106596.tif 000009
【図５】
0003106596.tif 000010